(57)【要約】【課題】カム溝とフォロワピンとを備えるレンズ鏡胴において、フォロワピンが円滑に移動できるようにし、組み付け性を改善する。【解決手段】カム溝３５，３６をもつカム筒３０、フォロワピン４２，５２をもつレンズ保持枠４１，５１を備えるレンズ鏡胴において、カム溝３５，３６は、溝幅Ｗｎでカム作用を及ぼす作用領域３５ｂ，３６ｂ、溝幅Ｗｎでフォロワピンを挿入するために形成されたカム作用を及ぼさない非作用領域３５ａ，３６ａ、作用領域と非作用領域とを連結し他の領域の溝幅Ｗｎよりも広い溝幅Ｗをなす遷移領域３５ｃ，３６ｃ、を含むように形成する。これにより、フォロワピンの移動が円滑になり、レンズ保持枠とカム筒との組み付けが容易になってレンズ鏡胴の生産性が向上する。【選択図】  図６
2004233601.tif 000002
【特許請求の範囲】
【請求項１】
内周面にカム溝を有するカム筒と、レンズを保持しかつ前記カム溝に挿入されるフォロワピンを有するレンズ保持枠とを備え、前記カム筒の回動により前記レンズ保持枠が光軸方向に移動するレンズ鏡胴であって、
前記カム溝は、所定の溝幅を有しかつ光軸方向においてカム作用を及ぼす作用領域と、前記作用領域の溝幅と同一の溝幅を有しかつ前記フォロワピンを前記カム溝に挿入するために形成されカム作用を及ぼさない非作用領域と、前記作用領域と前記非作用領域とを連結すると共に前記作用領域及び非作用領域の溝幅よりも広い溝幅を有する遷移領域と、を含む、
ことを特徴とするレンズ鏡胴。
【請求項２】
前記非作用領域は、前記カム筒の軸線方向において所定の長さに亘って伸長しかつ端部にて開口するように、形成されている、
ことを特徴とする請求項１記載のレンズ鏡胴。
【請求項３】
前記カム筒は、内周面に形成された第１のカム溝と第２のカム溝とを有し、
前記レンズ保持枠は、前記第１のカム溝に挿入される第１のフォロワピンを有する第１のレンズ保持枠と、前記第２のカム溝に挿入される第２のフォロワピンを有する第２のレンズ保持枠と、を含む、
ことを特徴とする請求項１又は２に記載のレンズ鏡胴。
【請求項４】
前記フォロワピンは、前記レンズ保持枠の周方向において略等間隔にて複数配置され、
前記カム溝は、前記複数のフォロワピンに対応するように、複数形成されている、
ことを特徴とする請求項１ないし３いずれかに記載のレンズ鏡胴。
【発明の詳細な説明】
【０００１】
【発明の属する技術分野】
本発明は、光軸方向においてレンズを移動させるレンズ鏡胴に関し、特に、駆動機構としてカム溝とフォロワピンを有するレンズ鏡胴に関する。
【０００２】
【従来の技術】
従来のレンズ鏡胴としては、レンズを保持したレンズ保持枠、レンズ保持枠を収容する円筒状のカム筒、カム筒を入れ子状に収容する円筒状の固定筒等を備え、レンズ保持枠に設けたフォロワピンをカム筒の内周面に設けたカム溝に挿入し、カム筒を回転させることでレンズ保持枠（レンズ）を光軸方向に移動させるものが知られている。
このレンズ鏡胴において、カム溝は、カム筒の軸線方向の端部領域に設けられた環状溝に接続されかつこの接続部分からカム作用が始まるような形状に形成され、あるいは、カム筒の軸線方向の端部領域に設けられた幅広い肉抜き領域に接続されかつこの接続部分からカム作用が始まるような形状に形成されている。（例えば、特許文献１、特許文献２参照）。
【０００３】
【特許文献１】
特開２０００−１４７３５２号公報
【特許文献２】
特開２０００−１１１７８１号公報
【０００４】
【発明が解決しようとする課題】
ところで、上記のレンズ鏡胴においては、カム筒の端部領域に環状溝あるいは幅広い肉抜き領域が形成されているため、フォロワピンを単に環状溝あるいは肉抜き領域に入り込ませただけでは、レンズ保持枠はカム筒から容易に脱落してしまい、円滑な組み付けが行えない。
また、組付け性を改善するべく、組み付け時にフォロワピンの案内及び保持の役割をなすだけのカム作用を及ぼさない非作用領域としての溝を設けた場合、レンズ保持枠の組み付け（脱落防止）は容易になるものの、非作用領域から作用領域に移行する遷移領域において、フォロワピンとカム溝との間での摺動抵抗が増加し、フォロワピンが非作用領域から作用領域に円滑に移動し難いという問題が生じる。
【０００５】
本発明は、上記従来技術の問題点に鑑みて成されたものであり、その目的とするところは、簡略な構造にて、フォロワピンをカム溝に容易に挿入でき、又、組み付け時にフォロワピンを溝に滑り込ませるだけでレンズ保持枠をカム筒に対して容易に組み付けて脱落しないように保持することができ、しかも、フォロワピンがカム溝内を円滑に移動することで全体として円滑な出没動作が行えるレンズ鏡胴を提供することにある。
【０００６】
【課題を解決するための手段】
本発明のレンズ鏡胴は、内周面にカム溝を有するカム筒と、レンズを保持しかつカム溝に挿入されるフォロワピンを有するレンズ保持枠とを備え、カム筒の回動によりレンズ保持枠が光軸方向に移動するレンズ鏡胴であって、上記カム溝は、所定の溝幅を有しかつ光軸方向においてカム作用を及ぼす作用領域と、作用領域の溝幅と同一の溝幅を有しかつフォロワピンをカム溝に挿入するために形成されカム作用を及ぼさない非作用領域と、作用領域と非作用領域とを連結すると共に作用領域及び非作用領域の溝幅よりも広い溝幅を有する遷移領域と、を含む、ことを特徴としている。
この構成によれば、レンズ保持枠をカム筒に組み付ける際に、フォロワピンをカム溝の非作用領域に滑り込ませる（挿入する）だけで、レンズ保持枠を容易に位置決めしつつ脱落しないようにカム筒に保持させることができ、又、遷移領域の溝幅を他の部分よりも幅広に形成しているため、フォロワピンを非作用領域から作用領域へ円滑に移行させることができる。したがって、レンズ保持枠とカム筒との組み付けが容易になり、レンズ鏡胴の生産性が向上する。
【０００７】
上記構成において、非作用領域は、カム筒の軸線方向において所定の長さに亘って伸長しかつ端部にて開口するように形成されている、構成を採用できる。
この構成によれば、レンズ保持枠を軸線方向からカム筒に近づけて、フォロワピンをカム溝の非作用領域に滑り込ませるだけで、レンズ保持枠をカム筒に組み付けることができ、これにより、フォロワピンは非作用領域から遷移領域を経て作用領域に円滑に案内される。
【０００８】
上記構成において、カム筒は、内周面に形成された第１のカム溝と第２のカム溝とを有し、レンズ保持枠は、第１のカム溝に挿入される第１のフォロワピンを有する第１のレンズ保持枠と、第２のカム溝に挿入される第２のフォロワピンを有する第２のレンズ保持枠と、を含む、構成を採用できる。
この構成によれば、二つのレンズ保持枠を一つのカム筒に組み付ける際に、第１のフォロワピンを第１のカム溝の非作用領域に又第２のフォロワピンを第２のカム溝の非作用領域にそれぞれ滑り込ませるだけで、それぞれのレンズ保持枠を容易に位置決めしつつ脱落しないように共通のカム筒に保持させることができ、又、遷移領域の溝幅を他の部分よりも幅広に形成しているため、第１のフォロワピン及び第２のフォロワピンを、第１のカム溝及び第２のカム溝において非作用領域から作用領域へ円滑に移行させることができる。したがって、複数のレンズ保持枠を一つのカム筒に組み付ける場合でも、その組み付けが容易になり、レンズ鏡胴の生産性が向上する。
【０００９】
上記構成において、フォロワピンは、レンズ保持枠の周方向において略等間隔にて複数配置され、カム溝は、複数のフォロワピンに対応するように複数形成されている、構成を採用できる。
この構成によれば、一つのレンズ保持枠あるいは二つのレンズ保持枠に対して設けられた複数のフォロワピンを対応する複数のカム溝に挿入する際に、遷移領域が他の領域よりも幅広く形成されているため、例え複数のフォロワピンであっても、円滑に挿入して組み付けることができる。
【００１０】
【発明の実施の形態】
以下、本発明の実施の形態について、添付図面を参照しつつ説明する。
図１ないし図９は、本発明に係るレンズ鏡胴を組み込んだレンズ駆動装置の一実施形態を示し、図１は装置の正面図、図２は装置の展開断面図、図３はレンズ鏡胴の側面図及び正面図、図４はカム筒の側面図及び正面図、図５はカム筒の内周面を示す展開図、図６はカム溝の部分拡大図及び断面図、図７はガイド筒の側面図及び正面図、図８及び図９はレンズ保持枠の側面図及び正面図である。
【００１１】
この装置は、図１及び図２に示すように、略矩形形状の輪郭をなしローパスフィルタ１１、撮像素子としてのＣＣＤ１２等が取り付けられるベース１０、ベース１０に固着された固定筒２０、固定筒２０の内側において回転及び直進自在に支持されたカム筒３０、カム筒３０の内側において光軸方向Ｌにそれぞれ移動自在に支持された第１レンズ群４０及び第２レンズ群５０、ベース１０に対して光軸方向Ｌに移動自在に支持された第３レンズ群６０、カム筒３０を駆動する駆動機構７０、第３レンズ群６０を駆動する駆動機構８０等を備えている。
【００１２】
第１レンズ群４０は、図２及び図８に示すように、樹脂材料により略円筒状に形成されレンズＧ１を保持する第１のレンズ保持枠４１、第１のレンズ保持枠４１に形成され後述する第１のカム溝３５に挿入される第１のフォロワピンとしての３つのフォロワピン４２等を備えている。そして、第１レンズ群４０は、カム筒３０が回動してカム溝３５がカム作用を及ぼすことにより、光軸方向Ｌにおいて前進及び後退する。
【００１３】
第２レンズ群５０は、図２及び図９に示すように、樹脂材料により略円筒状に形成されレンズＧ２を保持する第２のレンズ保持枠５１、第２のレンズ保持枠５１に形成され後述する第２のカム溝３６に挿入される第２のフォロワピンとしての３つのフォロワピン５２、第２のレンズ保持枠５１に保持されたシャッタユニットＳ等を備えている。そして、第２レンズ群５０は、カム筒３０が回動してカム溝３６がカム作用を及ぼすことにより、光軸方向Ｌにおいて前進及び後退する。
【００１４】
固定筒２０は、図１及び図２に示すように、光軸方向Ｌに軸心をもつように樹脂材料により円筒状に形成されて、ベース１０に固着されている。固定筒２０の内周面２０ａには、周方向において等間隔（約１２０度ごと）に配置され後述する３つのフォロワピン３１に対してカム作用を及ぼす３つのカム溝２１（図においては一部を省略）が形成されている。
【００１５】
カム筒３０は、図１ないし図４に示すように、樹脂材料により円筒状に形成されて、固定筒２０の内側に入れ子状に同軸に配置されている。
カム筒３０の外周面３０ａには、周方向において等間隔（約１２０度ごと）に配置された３つのフォロワピン３１、外部から回転駆動力が伝えられる円弧状のラック部３２等が形成されている。
【００１６】
カム筒３０の内周面３０ｂには、図４に示すように、光軸方向Ｌにおいて第１レンズ群４０にカム作用を及ぼす第１のカム溝としての３つのカム溝３５、光軸方向Ｌにおいて第２レンズ群５０にカム作用を及ぼす第２のカム溝としての３つのカム溝３６が形成されている。
カム溝３５，３６は、図５に示すように、それぞれ光軸方向Ｌ（カム筒３０の軸線方向）に伸長すると共に端部にて開口しカム作用を及ぼさない非作用領域３５ａ，３６ａ、光軸方向Ｌにおいてカム作用を及ぼす作用領域３５ｂ，３６ｂ、非作用領域３５ａ，３６ａと作用領域３５ｂ，３６ｂとを連結する遷移領域３５ｃ，３６ｃにより形成されている。
【００１７】
また、カム溝３５，３６は、図６に示すように、断面が略Ｖ字状の溝に形成されると共に、非作用領域３５ａ，３６ａの溝幅と作用領域３５ｂ，３６ｂの溝幅とが同一の溝幅Ｗｎをなし、遷移領域３５ｃ，３６ｃの溝幅がＷｎよりも広い溝幅Ｗ（＞Ｗｎ）をなすように形成されている。ここで、遷移領域３５ｃ，３６ｃは、非作用領域３５ａ，３６ａと作用領域３５ｂ，３６ｂとを滑らかに連結するように、すなわち、溝幅Ｗｎから徐々に広くなって溝幅Ｗになりさらに徐々に狭くなって溝幅Ｗｎになるように形成されている。
【００１８】
このように、非作用領域３５ａ，３６ａを設けることで、レンズ保持枠４１，５１をカム筒３０に組み付ける際に、フォロワピン４２，５２をカム溝３５，３６の非作用領域３５ａ，３６ａに滑り込ませるだけで、レンズ保持枠４１，５１を位置決めしつつカム筒３０に対して脱落しないように簡単に組み付けることができる。
また、遷移領域３５ｃ，３６ｃの溝幅Ｗを他の領域よりも幅広に形成しているため、フォロワピン４２，５２を非作用領域３５ａ，３６ａから作用領域３５ｂ，３６ｂに円滑に移行させることができる。したがって、複数のレンズ保持枠４１，５１を一つのカム筒３０に組み付ける場合であっても、その組み付けが容易になり、レンズ鏡胴の生産性が向上する。
【００１９】
また、非作用領域３５ａ，３６ａは、カム筒３０の軸線方向において所定の長さに亘って伸長しかつ端部にて開口するように形成されているため、レンズ保持枠４１，５１を軸線方向からカム筒３０に近づけて、フォロワピン４２，５２をカム溝３５，３６の非作用領域３５ａ，３６ａに滑り込ませるだけで、レンズ保持枠４１，５１をカム筒３０に保持させつつ組み付けることができる。
したがって、レンズ保持枠４１，５１とカム筒３０とを組み付けたレンズ鏡胴をレンズ駆動装置に組み付けるような場合に、レンズ保持枠４１，５１の脱落を防止するような押え部材等を設けることなく、レンズ鏡胴をモジュール品として取り扱うことができ、装置を組み付ける時の取り扱い性が向上する。
【００２０】
レンズ保持枠４１，５１とカム筒３０との間には、図２及び図３（ａ）に示すように、第１レンズ群４０及び第２レンズ群５０の回転を規制しつつ光軸方向Ｌへの案内を行うガイド筒３７が挿着されている。
ガイド筒３７は、図７に示すように、レンズ保持枠４１のフォロワピン４２を通す３つの長孔３７ａ、レンズ保持枠５１のフォロワピン５２を通す３つの長孔３７ｂ、カム筒３０の内周面３０ｂに形成された環状溝に掛止する掛止爪３７ｃ等を備えている。
【００２１】
ガイド筒３７は、カム筒３０の内周面３０ｂに嵌合されつつも回転しないように固定筒２０に掛止されている。したがって、カム筒３０が回転すると、ガイド筒３７の長孔３７ａ，３７ｂが、カム溝３５，３６によりカム作用が及ぼされるフォロワピン４２，５２を、光軸方向Ｌにおいてのみ往復動自在に案内する。
このように、フォロワピン４２，５２は、ガイド筒３７の長孔３７ａ，３７ｂに案内されつつ、カム溝３５，３６のカム作用により移動させられるため、複雑な摺動抵抗（摩擦力）が生じる状態にあるが、カム溝３５，３６の遷移領域３５ｃ，３６ｃの溝幅Ｗが広く形成されているため、予めガイド筒３７を組み込んだ状態でレンズ保持枠４１，５１を組み付けるにあたり、カム筒３０をガイド筒３７に対して相対的に回転させるだけで、フォロワピン４２，５２を非作用領域３５ａ，３６ａから作用領域３５ｂ，３６ｂに円滑に移動させることができるため、それらの組み付けを容易に行うことができる。
【００２２】
第３レンズ群６０は、図２に示すように、レンズＧ３を保持するレンズ保持枠６１を備える。レンズ保持枠６１は、図１及び図２に示すように、固定筒２０の外側に配置されたステップモータ８１、ステップモータ８１により駆動されるリードスクリュー、レンズ保持枠６１に保持されリードスクリューに螺合したナット等を含む駆動機構８０により、光軸方向Ｌにおいて前進及び後退して合焦動作を行う。
【００２３】
駆動機構７０は、図１及び図２に示すように、ベース１０に固定されたＤＣモータ７１、その駆動軸７１ａに固着されたウォーム７２、ベース１０に支持されウォーム７２に噛合するウォームホイール７３、ウームホイール７３と同軸にて一体的に形成されたウォーム７４、ベース１０に支持されウォーム７４に噛合するウォームホイール７５、ウォームホイール７５と同軸にて一体的に形成された歯車７６、ベース１０に支持され歯車７６及びラック部３２に噛合する歯車７７等により形成されている。
【００２４】
すなわち、ＤＣモータ７１が回転すると、ウォーム７２、ウォームホイール７３、ウォーム７４、ウォームホイール７５、歯車７６、歯車７７を介して、カム筒３０が固定筒２０に対して相対的に回転する。そして、第１レンズ群４０及び第２レンズ群５０は、光軸方向Ｌにおいてそれぞれ繰り出して（前進して）又は繰り込んで（後退して）、非撮影時の沈胴位置から望遠端撮影位置を経て広角端撮影位置までの間を移動し、幅広い撮影が行えるように所望の変倍位置に移動させられる。
【００２５】
次に、上記レンズ鏡胴及びレンズ駆動装置の組み付け手順について説明する。先ず、カム筒３０の内周面３０ｂにガイド筒３７を嵌め込む。この状態において、ガイド筒３７はカム筒３０に対して回動自在に支持されている。
続いて、カム筒３０の非作用領域３５ａ，３６ａとガイド筒３７の長孔３７ａ，３７ｂとが周方向において一致させられた状態で、カム筒３０に対して、第１のレンズ保持枠４１を組み付け、続けて、第２のレンズ保持枠５１を組み付ける。
【００２６】
すなわち、レンズ保持枠４１のフォロワピン４２を、軸線方向Ｌからカム筒３０の端部に近づけてカム溝３５の非作用領域３５ａ及びガイド筒３７の長孔３７ａに滑り込ませ、続けて、レンズ保持枠５１のフォロワピン５２を、軸線方向Ｌからカム筒３０の端部に近づけてカム溝３６の非作用領域３６ａ及びガイド筒３７の長孔３７ｂに滑り込ませる。これにより、二つのレンズ保持枠４１，５１は、カム筒３０に組み込まれて保持された状態となる。
【００２７】
次に、カム筒３０をガイド筒３７に対して相対的に回転させて、フォロワピン４２，５２を、非作用領域３５ａ，３６ａから屈曲した遷移領域３５ｃ，３６ｃを経て作用領域３５ｂ，３６ｂに移動させる。このとき、遷移領域３５ｃ，３６ｃの溝幅Ｗが、非作用領域３５ａ，３６ａ及び作用領域３５ｂ，３６ｂの溝幅Ｗｎよりも幅広く形成されているため、フォロワピン４２，５２は円滑に移動して組み付けが完了する。
【００２８】
続いて、このレンズ鏡胴は、レンズ駆動装置の固定筒２０に対して組み付けられる。この際に、レンズ保持枠４１（第１レンズ群４０）及びレンズ保持枠５１（第２レンズ群５０）とカム筒３０とは、モジュール品として一体的に取り扱うことができるため、装置への組み付けが容易になる。
【００２９】
次に、上記のレンズ鏡胴を備えるレンズ駆動装置がデジタルカメラに搭載された場合の一般的な動作について説明すると、先ず非撮影時において、第１レンズ群４０及び第２レンズ群５０並びにカム筒３０は、光軸方向Ｌの後方に向けて後退した沈胴位置にある。
【００３０】
この沈胴位置から、駆動機構７０によりカム筒３０が回転させられると、フォロワピン３１がカム溝２１に案内されて移動し、カム筒３０は光軸方向Ｌの前方に向かって繰り出す。また、カム筒３０の回転により、フォロワピン４２，５２がそれぞれカム溝３５，３６（作用領域３５ｂ，３６ｂ）に案内されて、第１レンズ群４０及び第２レンズ群５０が、望遠端撮影位置を経て広角端撮影位置に至る。一方、第３レンズ群６０は、駆動機構（ステップモータ８１等）により、第１レンズ群４０及び第２レンズ群５０の位置に応じた合焦位置に移動する。
【００３１】
図１０は、本発明に係るレンズ鏡胴の他の実施形態を示すものである。このレンズ鏡胴では、カム筒３０に形成するカム溝３５´，３６´において、図１０に示すように、遷移領域３５ｃ´，３６ｃ´の一方側を略直角に肉抜きして、その溝幅Ｗ´を前述の実施形態に係る溝幅Ｗよりも幅広く（Ｗ´＞Ｗ＞Ｗｎ）したものである。
このように、遷移領域３５ｃ´，３６ｃ´をより幅広くかつ略直角に形成することにより、フォロワピン４２，５２を非作用領域３５ａ，３６ａから作用領域３５ｂ，３６ｂにより円滑に案内して移動させることができる。
【００３２】
上記実施形態においては、カム筒３０に設けるカム溝３５，３６、３５´，３６´として、断面が略Ｖ字状のものを採用したが、これに限定されるものではなく、略Ｕ字状あるいは略矩形状の凹断面をなすカム溝に対して、本発明を採用してもよい。
また、上記実施形態においては、レンズ保持枠４１，５１にそれぞれ３個のフォロワピン４２，５２を設けた場合を示したが、これに限定されるものではなく、それ以外の個数のフォロワピンとそれに対応するカム溝とを設けた構成において、本発明を採用してもよい。
さらに、上記実施形態においては、カム筒３０の内側に二つのレンズ群４０，５０を配置するレンズ鏡胴において、本発明に係る構成を採用したが、これに限定されるものではなく、カム筒３０に一つのレンズ群を配置する構成あるいは三つ以上のレンズ群を配置する構成において、本発明を採用してもよい。
【００３３】
【発明の効果】
以上述べたように、本発明のレンズ鏡胴によれば、カム筒とレンズ保持枠とを備える構成において、フォロワピンを滑り込ませるための非作用領域、カム作用をなす作用領域、非作用領域と作用領域とを連結する遷移領域によりカム溝を形成し、遷移領域の溝幅を他の領域の溝幅よりも幅広くしたことにより、レンズ保持枠をカム筒に組み付ける際に、フォロワピンをカム溝の非作用領域に滑り込ませるだけで、レンズ保持枠を容易に位置決めしつつ脱落しないようにカム筒に保持させることができる。また、遷移領域の溝幅を他の部分よりも幅広に形成しているため、フォロワピンを非作用領域から作用領域へ円滑に移行させることができ、レンズ保持枠とカム筒との組み付けが容易になり、レンズ鏡胴の生産性が向上する。
【図面の簡単な説明】
【図１】本発明に係るレンズ鏡胴を組み込んだレンズ駆動装置の一実施形態を示す正面図である。
【図２】図１に示す装置の展開断面図である。
【図３】本発明に係るレンズ鏡筒の一実施形態を示すものであり、（ａ）は側面図、（ｂ）は正面図である。
【図４】レンズ鏡胴の一部をなすカム筒を示すものであり、（ａ）は側面図、（ｂ）は正面図である。
【図５】図４に示すカム筒の内周面に形成されたカム溝を示す展開図である。
【図６】カム筒に形成されたカム溝を示すものであり、（ａ）は部分拡大図、（ｂ）は（ａ）中のＥ１−Ｅ１にける断面図である。
【図７】レンズ鏡胴の一部をなすガイド筒を示すものであり、（ａ）は側面図、（ｂ）は正面図である。
【図８】レンズ鏡胴の一部をなす第１のレンズ保持枠を示すものであり、（ａ）は側面図、（ｂ）は正面図である。
【図９】レンズ鏡胴の一部をなす第２のレンズ保持枠を示すものであり、（ａ）は側面図、（ｂ）は正面図である。
【図１０】カム筒に形成されたカム溝の他の実施形態を示すものであり、（ａ）は部分拡大図、（ｂ）は（ａ）中のＥ２−Ｅ２にける断面図である。
【符号の説明】
３０  カム筒
３０ａ  外周面
３０ｂ  内周面
３５，３５´  第１のカム溝
３５ａ  非作用領域
３５ｂ  作用領域
３５ｃ，３５ｃ´  遷移領域
３６，３６´  第２のカム溝
３６ａ  非作用領域
３６ｂ  作用領域
３６ｃ，３６ｃ´  遷移領域
４０  第１レンズ群
４１  第１のレンズ保持枠
４２  第１のフォロワピン
５０  第２レンズ群
５１  第２のレンズ保持枠
５２  第２のフォロワピン
Ｌ  光軸方向
Ｗ，Ｗ´  遷移領域の溝幅
Ｗｎ  非作用領域及び作用領域の溝幅
【図１】
2004233601.tif 000003
【図２】
2004233601.tif 000004
【図３】
2004233601.tif 000005
【図４】
2004233601.tif 000006
【図５】
2004233601.tif 000007
【図６】
2004233601.tif 000008
【図７】
2004233601.tif 000009
【図８】
2004233601.tif 000010
【図９】
2004233601.tif 000011
【図１０】
2004233601.tif 000012